(57)【特許請求の範囲】
【請求項１】
鋼板の内部にウレタン材が充填発泡される断熱部材において、この鋼板の内側に前記充填発泡前に塗膜を形成するとともに、この塗膜のガラス転移点を前記充填発泡時の温度以下としたことを特徴とする断熱部材。
【請求項２】
鋼板の内部にウレタン材が充填発泡される断熱部材において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする断熱部材。
【請求項３】
鋼板の内部にウレタン材が充填発泡される断熱部材において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする断熱部材。
【請求項４】
前記鋼板は、鉄鋼板であることを特徴とする請求項１乃至請求項３のいずれかに記載の断熱部材。
【請求項５】
前記鋼板は、ステンレス鋼板であることを特徴とする請求項１乃至請求項３のいずれかに記載の断熱部材。
【請求項６】
鋼板の内部にウレタン材が充填発泡される冷蔵庫において、この鋼板の内側に前記充填発泡前に塗膜を形成するとともに、この塗膜のガラス転移点を前記充填発泡時の温度以下としたことを特徴とする冷蔵庫。
【請求項７】
鋼板の内部にウレタン材が充填発泡される冷蔵庫において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする冷蔵庫。
【請求項８】
鋼板の内部にウレタン材が充填発泡される冷蔵庫において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする冷蔵庫。
【請求項９】
前記鋼板は、鉄鋼板であることを特徴とする請求項６乃至請求項８のいずれかに記載の冷蔵庫。
【請求項１０】
前記鋼板は、ステンレス鋼板であることを特徴とする請求項６乃至請求項８のいずれかに記載の冷蔵庫。
【請求項１１】
冷蔵庫本体内に形成された食品貯蔵室の前面開口を開閉するものであって、鋼板の内部にウレタン材が充填発泡される冷蔵庫の扉体において、この鋼板の内側に前記充填発泡前に塗膜を形成するとともに、この塗膜のガラス転移点を前記充填発泡時の温度以下としたことを特徴とする冷蔵庫の扉体。
【請求項１２】
冷蔵庫本体内に形成された食品貯蔵室の前面開口を開閉するものであって、鋼板の内部にウレタン材が充填発泡される冷蔵庫の扉体において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする冷蔵庫の扉体。
【請求項１３】
冷蔵庫本体内に形成された食品貯蔵室の前面開口を開閉するものであって、鋼板の内部にウレタン材が充填発泡される冷蔵庫の扉体において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする冷蔵庫の扉体。
【請求項１４】
前記鋼板は、鉄鋼板であることを特徴とする請求項１１乃至請求項１３のいずれかに記載の冷蔵庫の扉体。
【請求項１５】
前記鋼板は、ステンレス鋼板であることを特徴とする請求項１１乃至請求項１３のいずれかに記載の冷蔵庫の扉体。
【発明の詳細な説明】
【０００１】
【発明の属する技術分野】
本発明は、断熱ウレタン材が発泡充填される断熱部材、冷蔵庫、冷蔵庫の扉体に関するものである。
【０００２】
【従来の技術】
冷蔵庫の本体側は、金属製の鉄鋼板からなる外箱と合成樹脂製の内箱とを組み合わせ、この中にウレタン材を発泡充填している。冷蔵庫の扉体も同様であり、金属製の鉄鋼板からなる扉材と内側に配置される合成樹脂製の扉パネルとを組み合わせ、この中にウレタン材を発泡充填している。この本体側及び扉側の内側に発泡充填されたウレタン材が密着する。
【０００３】
【発明が解決しようとする課題】
ところで、鋼板にステンレス材を採用した場合、この密着性能が劣化し、場所によっては、ステンレス鋼板とウレタン材との間に空間が存在し、結露及び剛性などの問題が生じることが判明した。
【０００４】
本発明は、上記の点に鑑みて為されたものであり、鋼板とウレタン材との密着性能を向上させた断熱部材、冷蔵庫、冷蔵庫の扉体を提供することを目的とする。
【０００５】
特に、本発明は、ステンレス材を採用した鋼板とウレタン材との密着性能を向上させた断熱部材、冷蔵庫、冷蔵庫の扉体を提供することを目的とする。
【０００６】
【課題を解決するための手段】
このため第１の発明は、鋼板の内部にウレタン材が充填発泡される断熱部材において、この鋼板の内側に前記充填発泡前に塗膜を形成するとともに、この塗膜のガラス転移点を前記充填発泡時の温度以下としたことを特徴とする。
【０００７】
第２の発明は、同断熱部材において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする。
【０００８】
第３の発明は、同断熱部材において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする。
【０００９】
第４の発明は、同断熱部材における前記鋼板は、鉄鋼板であることを特徴とする。
【００１０】
第５の発明は、同断熱部材における前記鋼板は、ステンレス鋼板であることを特徴とする。
【００１１】
また第６の発明は、鋼板の内部にウレタン材が充填発泡される冷蔵庫において、この鋼板の内側に前記充填発泡前に塗膜を形成するとともに、この塗膜のガラス転移点を前記充填発泡時の温度以下としたことを特徴とする。
【００１２】
第７の発明は、同冷蔵庫において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする。
【００１３】
第８の発明は、同冷蔵庫において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする。
【００１４】
第９の発明は、同冷蔵庫における前記鋼板は、鉄鋼板であることを特徴とする。
【００１５】
第１０の発明は、同冷蔵庫における前記鋼板は、ステンレス鋼板であることを特徴とする。
【００１６】
更に第１１の発明は、冷蔵庫本体内に形成された食品貯蔵室の前面開口を開閉するものであって、鋼板の内部にウレタン材が充填発泡される冷蔵庫の扉体において、この鋼板の内側に前記充填発泡前に塗膜を形成するとともに、この塗膜のガラス転移点を前記充填発泡時の温度以下としたことを特徴とする。
【００１７】
第１２の発明は、同冷蔵庫の扉体において、この鋼板の内側に前記充填発泡前に塗膜を形成するとともに、この塗膜が未反応の官能基を備え、前記充填発泡時に前記塗膜の前記官能基が前記ウレタン材の官能基と結合することを特徴とする。
【００１８】
第１３の発明は、同冷蔵庫の扉体において、この鋼板の内側に前記充填発泡前に塗膜を形成するとともに、この塗膜が未反応の官能基を備え、前記充填発泡時に前記塗膜の前記官能基が前記ウレタン材の官能基と結合し、且つこの塗膜のガラス転移点を前記充填発泡時の温度以下としたことを特徴とする。
【００１９】
第１４の発明は、同冷蔵庫の扉体における前記鋼板は、鉄鋼板であることを特徴とする。
【００２０】
第１５の発明は、同冷蔵庫の扉体における前記鋼板は、ステンレス鋼板であることを特徴とする。
【００２１】
【発明の実施の形態】
以下本発明の実施の形態を図に基づき説明する。図１において、１はそれぞれ前面扉が設けられた複数の食品保存室から成る冷蔵庫本体で、鋼板製の外箱と内箱及び両箱間に充填された発泡ウレタン等の断熱材により構成されている。この冷蔵庫本体１の内部は断熱作用のある仕切壁により仕切られ、上部より冷蔵室２、野菜室３、製氷室４、温度切換室５、冷凍室６を備えている。
【００２２】
そして、前記冷蔵室２前面開口は把手７により開閉可能な回動式の冷蔵室扉８により閉塞可能であり、冷蔵室２の下の野菜室３、製氷室４及び温度切換室５、冷凍室６は引出し式の野菜室扉９、製氷室扉１０、温度切換室扉１１、冷凍室扉１２により夫々閉塞されている。
【００２３】
前述した各扉は、夫々ステンレス鋼板から成る扉外箱である扉材１３と硬質樹脂材料から成る扉内箱である扉パネル１４との間に発泡ウレタン断熱材１５を充填して構成され、以下冷蔵室扉８を例として、図２及び図３に基づき詳述する。尚、前記ステンレス鋼板は、表面側にも化粧用の塗装がなされ、後述する内側の塗膜と同時に炉内で硬化されるが、このステンレス鋼板以外の鉄鋼板で前記扉材１３を構成してもよい。
【００２４】
図２は扉材１３及び扉パネル１４とを発泡治具内に収容した状態を示す横断平面図であり、図３は発泡充填後の冷蔵室扉８の横断平面図である。前記扉材１３は、磁性体であるフェライト系ＳＵＳ４３０で表面仕上げがＮＯ．４（ＪＩＳ規格）のステンレス鋼板１６の裏面側に、例えば膜厚１μｍ〜２μｍの塗膜１７が付されて形成される。
【００２５】
この塗膜１７は、官能基を備えるポリエステル樹脂に、官能基を有する硬化樹脂（エポキシ樹脂）を混合した塗料を塗布・硬化させて形成する。この塗料はステンレス鋼板１６の裏面側に塗布される。そして、炉内において、１８０℃〜２２０℃の範囲で５〜１０分間程度焼き付け硬化させる。この硬化により、ポリエステル樹脂の官能基と、硬化樹脂の官能基とが結合するが、全ての官能基が結合するものとは限らない。
【００２６】
この実施態様では、この塗膜１７が、未反応の官能基（−ＯＨ）を備え、ガラス転移点が３２℃になるように、塗料が予め配合調整されている。
【００２７】
そして、以上のように作製された扉材１３と、該扉材１３の裏面側に取り付けられるガスケットホルダ１８を有する硬質樹脂材料から成る扉パネル１４と、前記ホルダ１８に取り付けられるマグネット１９を有するガスケット２０とから発泡充填前の冷蔵室扉８の外形を構成する。
【００２８】
ここで、現場発泡方式にて発泡ウレタン断熱材１５を充填するに際しては、図２に示すように、前記冷蔵室扉８の外形を発泡圧を受けるための発泡治具２１及び２２内に収容し、前記扉パネル１４の注入口（図示せず）から前記外形内に発泡液を注入する。そして、この発泡液が発泡し、硬化することにより、発泡ウレタン断熱材１５が形成されることとなる。この硬化後、発泡治具２２を開き、冷蔵室扉８を発泡治具２１内から取り出す。
【００２９】
尚、前記発泡液は、ポリオール成分と、硬化剤であるイソシアネート成分の二液を混合したものであり、これを前記外形内に注入して、発泡させ、６０℃程度で２０分間程度加熱し、硬化させることにより、図３に示すように、発泡ウレタン断熱材１５を形成するものである。
【００３０】
すなわち、この充填、発泡及び硬化のときに、ステンレス鋼板１６の内側に形成された塗膜１７の未反応の官能基（−ＯＨ）と発泡ウレタン断熱材１５中の未反応の官能基（−ＮＣＯ）とが結合し、扉材１３と発泡ウレタン断熱材１５との密着性が向上する。
【００３１】
また、塗膜１７のガラス転移点を３２℃に設定しているので、ウレタン発泡・硬化時においては、塗膜１７の表面は、ウレタン断熱材１５の密着面の凹凸に合わせて、変形可能である。そして、この冷蔵庫の使用時においては、硬化して、先ほどのウレタンの表面の凹凸にくい込む（いわゆるアンカー効果が生じる）ので、１μｍ〜２μｍの薄い膜厚であっても、扉材１３と発泡ウレタン断熱材１５との密着性が向上するものである。
【００３２】
なお、この実施形態では、塗膜のガラス転移点を３２℃に設定しているが、これは、３７℃でもよい。
【００３３】
つまり、発泡充填・硬化時の温度より低く、冷蔵庫の通常使用時の温度より高ければ良い。この範囲の温度であれば、アンカー効果を得られる。通常、発泡充填・硬化時の鋼板付近の温度は、４０℃以上〜６０℃の近辺と推測され、冷蔵庫の通常使用時の温度帯は、日本では、０℃〜３０℃と考えられるので、理論的にはガラス転移点が３０℃以上で且つ発泡硬化時の最高温度以下になるように、予め塗料を配合調整すればよい。実際には、３０℃〜４０℃の範囲内になるように、あらかじめ塗料を配合調整する。
【００３４】
なお、以上の実施態様は、冷蔵室扉８の扉材１３と発泡ウレタン断熱材１５とを密着させる態様であるが、密着性についての問題がない冷蔵庫本体の鋼板製の外箱と発泡ウレタン断熱材との密着に適用することも可能である。
【００３５】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００３６】
【発明の効果】
以上のように本発明は、鋼板とウレタン材との密着性能を向上させた断熱部材、冷蔵庫、冷蔵庫の扉体を提供することができると共に、ステンレス材を採用した鋼板とウレタン材との密着性能を向上させた断熱部材、冷蔵庫、冷蔵庫の扉体を提供することができる。また、塗膜のガラス転移点を充填発泡時の温度以下としたことにより、塗膜の充填後の発泡ウレタン断熱材への、いわゆるアンカー効果も生まれ、数μｍの薄い膜厚であっても、密着性能を向上させた断熱部材、冷蔵庫、冷蔵庫の扉体を提供することができる。
【図面の簡単な説明】
【図１】冷蔵庫の正面図である。
【図２】扉材及び扉パネルとを発泡治具内に収容した状態を示す横断平面図である。
【図３】発泡充填後の冷蔵室扉の横断平面図である。
【符号の説明】
８              冷蔵室扉
１３            扉材
１４            扉パネル
１５            発泡ウレタン断熱材
１６            ステンレス鋼板
１７            塗膜
２１、２２      発泡治具
【図１】
0003676274.tif 000002
【図２】
0003676274.tif 000003
【図３】
0003676274.tif 000004